(57)【特許請求の範囲】
【請求項１】
洗濯物を脱水する脱水槽と、該脱水槽の内部に設けられ洗濯水流を発生させるパルセータと、前記脱水槽を回転させる脱水軸と、該脱水軸を前記脱水槽に取り付ける脱水軸支持台を備えた洗濯機において、
前記脱水槽は底板と該底板の外周縁から上向きに一定長さ延びた胴体部を備え、前記底板は中心部と該中心部の外周縁から一定高さ突出形成されるショルダ部が一体に形成され、
前記脱水軸支持台はその内部に前記脱水軸を挿入させる挿入穴が形成されてなされ、前記底板の中心部には前記脱水軸支持台を前記底板に取り付ける取付手段が前記底板と一体に形成されており、
前記取付手段は、
前記脱水軸支持台を収める前記挿入穴を形成するよう前記底板の中心部の中央から下向きに一定長さ延長形成される筒状の支持壁と、
該支持壁の下方に形成され前記脱水軸支持台を固定させるフック部とから構成されることを特徴とする洗濯機。
【請求項２】
前記脱水軸支持台の下端には前記脱水軸が挿入される前記挿入穴より大径を有するフック溝が設けられており、前記フック部が前記支持壁から前記フック溝の内周面に折曲結合されることにより前記脱水軸支持台を前記脱水槽の底板に固定させることを特徴とする請求項１に記載の洗濯機。
【請求項３】
前記支持壁の上端には前記脱水軸支持台の上面を覆うよう前記支持壁の内側に延長形成された少なくとも一つの係止突起が設けられ、前記脱水軸支持台が上方に離脱することを防止することを特徴とする請求項２に記載の洗濯機。
【請求項４】
前記脱水槽の底板には洗濯水が前記脱水槽を通して下向きに流出されるようにする複数の排水穴と、前記底板の強度が補強されるようにする複数の凹凸部とが形成されていることを特徴とする請求項１に記載の洗濯機。
【請求項５】
前記脱水槽の底板と前記脱水軸支持台は同じ材質で作られることを特徴とする請求項１に記載の洗濯機。
【請求項６】
前記脱水槽の胴体部には前記パルセータにより発生する水流を前記脱水槽の上部に誘導するための上昇水流ガイドが設けられ、
前記脱水槽の底板には前記上昇水流ガイドに洗濯水流を流入させるための洗濯水供給穴と排水穴が一体に形成されていることを特徴とする請求項１に記載の洗濯機。
【請求項７】
前記洗濯水供給穴は、前記底板の中心部の外周縁と前記底板のショルダ部の下部にかけて穿孔されており、前記排水穴は前記ショルダ部の上部に穿孔されており、前記上昇水流ガイドの下端には前記排水穴の縁部に密着されるようフック部材が一体に形成されていることを特徴とする請求項６に記載の洗濯機。
【請求項８】
前記フック部材は前記上昇水流ガイドの下端から水平に延びた水平部と、該水平部から下向に延びた垂直部を備えてなり、
前記排水穴には前記フック部材の垂直部に対応して下向きに延びた凸条部が形成され、
前記フック部材の水平部と垂直部がそれぞれ前記排水穴の縁部と前記凸条部に密着した状態で前記垂直部の下方が前記凸条部の下方の内側に折り曲げられることにより前記フック部材が前記排水穴に取り付けられることを特徴とする請求項７に記載の洗濯機。
【請求項９】
前記脱水槽の胴体部には縦方向に２列をなして配された複数のスロットが形成されており、
前記上昇水流ガイドは前面部と、該前面部から後方に一定長さ延長形成された両側面部とからなり、前記両側面部の端部には前記複数のスロットに対応するよう縦方向に一定間隔に離隔配置された複数の結合突起が後方に向けて延長形成され、
前記複数の結合突起が前記各スロットに挿入された状態で前記脱水槽の外壁面に密着するよう折り曲げられることにより前記上昇水流ガイドを前記脱水槽の胴体部に取り付けることを特徴とする請求項７に記載の洗濯機。
【請求項１０】
前記洗濯水供給穴と排水穴の後方には前記洗濯水供給穴を介して流入された洗濯水を前記排水穴に案内するカバーが設けられていることを特徴とする請求項６に記載の洗濯機。
【請求項１１】
前記カバーの下面には係止爪が形成され、前記カバーの上面にはネジ穴が形成され、前記係止爪が前記洗濯水供給穴に係止され密着した状態で前記ネジ穴に前記底板を貫通する螺子が締結されることにより前記カバーは前記底板に取り付けられることを特徴とする請求項１０に記載の洗濯機。
【請求項１２】
前記脱水槽の底板の外周縁と前記脱水槽の胴体部の下端はシーミング(seaming)方式で結合されることを特徴とする請求項６に記載の洗濯機。
【請求項１３】
前記上昇水流ガイドは複数個に設けられ前記脱水槽の胴体部に一定間隔に離隔配置されることを特徴とする請求項６に記載の洗濯機。
【請求項１４】
前記脱水槽は前記上昇水流ガイドと同一な材質より作られることを特徴とする請求項６に記載の洗濯機。
【発明の詳細な説明】
【０００１】
【発明の属する技術分野】
本発明は洗濯機に係り、さらに詳しくは上昇水流ガイドと脱水軸支持台とを備えた脱水槽の構造を改善して上昇水流の量を増大させ洗濯物の損傷を防止できると共に、脱水軸支持台を脱水槽に簡便に取り付けるようにした洗濯機に関する。
【０００２】
【従来の技術】
一般に洗濯機は、洗濯水が張られた円筒状の回転槽を回転させ洗濯物を洗濯する装置であって、このような洗濯機の種類には回転槽を水平に配してこの回転槽が水平軸について正逆方向に回転する際洗濯物が回転槽の内周面に沿って上向きに持ち上げられてから落下させることにより洗濯物を洗濯する方式であるドラム洗濯機と、内部にパルセータを備えた回転槽を垂設してこの回転槽が垂直軸について正逆方向に回転する際パルセータにより発生する水流により洗濯物を洗濯する方式である垂直軸洗濯機とがある。
【０００３】
本発明は垂直軸洗濯機に係り、図１には従来の技術による脱水槽を備えた垂直軸洗濯機の内部構造が示されている。同図によれば、従来の垂直軸洗濯機は、外観をなすハウジング１と、ハウジング１の内部に垂設され洗濯水を張る円筒状の水槽２と、水槽２の内部に回転自在に設けられ外周面に多数の脱水穴３ｃが形成された円筒状の脱水槽(回転槽)３と、脱水槽３の内側の下部に設けられ洗濯水流を発生させるパルセータ４と、水槽２の外側の下部に設けられパルセータ４と脱水槽３を回転させる駆動モータ５と、動力伝達装置６と、を備える。
【０００４】
ハウジング１の上部は脱水槽３に洗濯物を入れたり取り出せるよう開放されており、該開放されたハウジング１の上部には脱水槽３を開放または閉鎖するためのドア７がヒンジ結合されている。また、水槽２の下部には洗濯が完了して水槽２に張られた洗濯水を外部に排出するためにハウジング１の外部に延びる排水ホース８が設けられている。
【０００５】
従来の脱水槽３は脱水槽３とパルセータ４をそれぞれ動力伝達装置６の脱水軸６ａと洗濯軸６ｂに取り付けるためその中心部が開放されている底板３ａと、該底板３ａの外周縁に螺合される円筒状の胴体部３ｂと、を備えてなる。
【０００６】
脱水槽３の胴体部３ｂの内壁面には洗い行程時パルセータ４の正逆回転により発生する水流を脱水槽３の上部に誘導して脱水槽３の上部から洗濯物に向けて洗濯水を落下することにより洗濯水に含まれた洗剤の溶解を促進し、洗濯物に衝撃を加えて洗濯力を増大させうるようにする上昇水流ガイド１０が設けられている。前記上昇水流ガイド１０の上端には洗濯水に含まれた毛羽のような異物を濾し出すための布収集袋１１が付着されている。
【０００７】
図２は図１に示された従来の技術による脱水槽の底板と脱水軸支持台の取付構造を示した斜視図である。
【０００８】
同図によれば、従来の脱水槽３の底板３ａには動力伝達装置６の脱水軸６ａ(図１参照)を底板３ａに取り付けるための脱水軸支持台１５が設けられる。前記脱水軸支持台１５は脱水軸６ａの上端を挿入するための挿入穴１６ａが形成されているハブ１６と、該ハブ１６から外向きに延長形成され、その端部に締結穴１７ａが形成されている複数のアーム１７を備えてなる。ハブ１６の挿入穴１６ａは略矩形により形成され脱水軸６ａがしっかり挟み込まれるようにして脱水軸６ａの回転により脱水槽３が回転できるようにする。
【０００９】
前述したように構成された脱水軸支持台１５が取り付けられる脱水槽３の底板３ａはその中心部に開口部１８が形成され、該開口部１８を通して脱水軸６ａの内部から延びてパルセータ４に軸着される洗濯軸６ｂ(図１参照)が貫通されると同時に、脱水行程時脱水槽３に張られた洗濯水を外に放出するようにする。また、前記開口部１８を取り囲む底板３ａの縁部は平らに形成され、この縁部にはアーム１７に形成された締結穴１７ａに対応する複数の締結穴１９が形成され前記締結穴１７ａ、１９を通してボルト２０が締結されることにより脱水軸支持台１５は脱水槽の底板３ａに取り付けられる。
【００１０】
図３は図１に示した従来の技術による脱水槽と上昇水流ガイドの取付構造を示した図であって、図３ａは上昇水流ガイドが脱水槽から分離された状態を示した図であり、図３ｂは上昇水流ガイドが脱水槽に組み立てられた状態を示した図である。
【００１１】
図３ａに示した通り、従来の脱水槽３にはパルセータ４により発生する水流を脱水槽３の上部に誘導するために上昇水流ガイド１０が別に作製され脱水槽３の胴体部３ｂの内壁面に縦方向に設けられる。上昇水流ガイド１０は上部と下部、そして後部が開放されるよう横断面が略“Ｃ”字形よりなり、脱水槽３の胴体部３ｂに形成されたネジ穴３ｄに対応するようその内壁面に一定間隔をなして形成された雌ネジ部(図示せず)を備え、多数のネジ２０により脱水槽３の胴体部３ｂに取り付けられる。
【００１２】
図３ｂに示した通り、上昇水流ガイド１０が脱水槽３の内壁面に螺合された状態で上昇水流ガイド１０の下端と脱水槽３の底板３ａとの間には洗濯水を流入させるための洗濯水供給口２１が形成され、上昇水流ガイド１０の上端には洗濯水を排出させるための排水口２２が形成される。
【００１３】
前述したように構成された従来の脱水槽３と上昇水流ガイド１０を備えた垂直軸洗濯機において、脱水槽３に洗濯物を投入した後に洗濯機を作動させれば、水槽２に水が供給されてから駆動モータ５と動力伝達装置６によりパルセータ４が正逆回転する。このようなパルセータ４の回転により洗濯水流が発生して洗濯物が洗濯水流と共に流動するようになり、また脱水槽３と摩擦されることにより洗濯が行われる。この際、パルセータ４により発生した洗濯水流の一部は上昇水流ガイド１０の洗濯水供給口２１を介して流入され脱水槽３の上部に上昇された後、上昇水流ガイド１０の排水口２２を通過して洗濯水に含まれた毛羽などは布収集袋１１により濾され、上昇した洗濯水は脱水槽３の下部に落下して洗濯物の洗濯を促進する。
【００１４】
しかし、前述したように作動する垂直軸洗濯機において、従来の脱水槽３の底板３ａは脱水軸支持台１５とボルト締結される構造でなることによりボルトを締結するために相当な作業工数が所要され、また長期間の使用によりボルトの緩みが発生して脱水行程時に振動を発生する短所がある。
【００１５】
また、従来の脱水槽３の底板３ａは平らな形状よりなっていて構造的に十分な強度を維持し難い短所がある。
【００１６】
また、従来の上昇水流ガイド１０は、脱水槽３の胴体部３ｂに螺合される構造よりなり脱水槽３に完全に密着できず、これにより上昇水流ガイド１０と脱水槽３の取付面の間には構造的に隙間ができることにより洗い行程時上昇水流ガイド１０に沿って上昇する洗濯水の一部が上昇水流ガイド１０と脱水槽３との隙間を通して漏れ出て、上昇水流ガイド１０を介して十分な量の洗濯水が上昇されなくなる。従って、従来の洗濯機は上昇水流ガイド１０の上部から落下する落下水流が不十分なので洗濯力が落ちるようになり、異物が布収集袋１１により効率よく濾されなくて洗濯効率が劣化する。
【００１７】
また、従来の洗濯機は脱水槽３の底板３ａの縁部には上昇水流ガイド１０の下端と共に円周方向に凸条部２３が形成される構造を有することにより、円環をなして形成される凸条部２３の内部に異物が詰まるようになるのみならず、洗い行程時洗濯物が前記凸条部２３に摩擦され損傷する短所がある。
【００１８】
そして、従来の洗濯機は、通常脱水槽３の胴体部３ｂと上昇水流ガイド１０が相異なる材質で構成されることにより高温の洗濯水を使用する場合に熱膨張係数の相違による上昇水流ガイド１０の変形が発生して隙間がさらに大きくなるため、この隙間に異物が詰まって洗濯完了後に洗濯物を汚染させるのみならず、洗い及び脱水行程時その隙間に洗濯物が詰まって洗濯物が損傷する短所がある。
【００１９】
さらに、従来の洗濯機は脱水槽３の底板３ａと脱水軸支持台１５も相異なる材質で作られて材質の相違による電位差により腐食が発生して洗濯物を汚染させる短所がある。
【００２０】
【発明が解決しようとする課題】
本発明は前述した従来の技術の問題点を解決するために案出されたもので、その目的は脱水槽の底板と脱水軸支持台の取付構造を改善して脱水軸支持台を脱水槽に簡便に取り付けられるようにした洗濯機を提供するところにある。
【００２１】
本発明の他の目的は脱水槽と脱水軸支持台の材質を同一にして電位差による腐食を防止するようにした洗濯機を提供するところにある。
【００２２】
本発明のさらに他の目的は脱水槽の底板の構造を改善して脱水槽の強度を向上させた洗濯機を提供するところにある。
【００２３】
本発明のさらに他の目的は上昇水流ガイドを脱水槽に密着結合させて十分な量の洗濯水を上向きに案内して洗濯力をアップすると共に、異物の濾しを効率よく行って洗濯物の損傷を防止できるようにした洗濯機を提供するところにある。
【００２４】
本発明のさらに他の目的は脱水槽の底板に洗濯水供給穴と排水穴を形成させ上昇水流ガイドに洗濯水を円滑に案内できるようにした洗濯機を提供するところにある。
【００２５】
本発明のさらに他の目的は脱水槽と上昇水流ガイドの材質を同一にして高温の洗濯水により上昇水流ガイドが変形されないようにした洗濯機を提供するところにある。
【００２６】
【課題を解決するための手段】
前述した目的を達成するための本発明は、洗濯物を脱水する脱水槽と、該脱水槽の内部に設けられ洗濯水流を発生させるパルセータと、前記脱水槽を回転させる脱水軸と、該脱水軸を前記脱水槽に取り付ける脱水軸支持台を備えた洗濯機において、前記脱水槽は底板と前記底板の外周縁から上向きに一定長さ延びた胴体部を備え、前記底板は中心部と前記中心部の外周縁から一定高さ突設されるショルダ部が一体に形成されてなり、前記脱水軸支持台はその内部に前記脱水軸が挿入されるよう挿入穴が形成されてなり、前記底板の中心部には前記脱水軸支持台を前記底板に取り付ける取付手段が前記底板と一体に形成されていることを特徴とする。
【００２７】
前記取付手段は、前記脱水軸支持台を収める前記挿入穴を形成するよう前記底板の中心部の中央から下向きに一定長さ延長形成される筒状の支持壁と、該支持壁の下端に形成され前記脱水軸支持台を取り付けるフック部とから構成される。
【００２８】
また、前記脱水軸支持台の下端には前記脱水軸が挿入される前記挿入穴より大径のフック溝が設けられており、前記フック部が前記支持壁から前記フック溝の内周面に折曲結合されることにより前記脱水軸支持台を前記脱水槽の底板に取り付ける。
【００２９】
そして、前記支持壁の上端には前記脱水軸支持台の上面を覆うよう前記支持壁の内側に延長形成された少なくとも一つの係止突起が設けられ、前記脱水軸支持台が上方に離脱されることを防止する。
【００３０】
前記の脱水槽の底板には洗濯水が前記脱水槽を通して下向きに流出されるようにする複数の排水穴と、前記底板の強度が補強されるようにする複数の凹凸部が形成されている。
【００３１】
前記脱水槽の胴体部には前記パルセータにより発生する水流を前記脱水槽の上部に誘導するための上昇水流ガイドが設けられ、前記脱水槽の底板には前記上昇水流ガイドに洗濯水流を流入させるための洗濯水供給穴と排水穴が一体に形成されている。
【００３２】
前記洗濯水供給穴は、前記底板の中心部の外周縁と前記底板のショルダ部の下部にかけて開けられており、前記排水穴は前記ショルダ部の上部に穿孔されており、前記上昇水流ガイドの下端部には前記排水穴の縁部に密着されるようフック部材が一体に形成されている。
【００３３】
前記フック部材は、前記上昇水流ガイドの下端から水平に延びた水平部と、該水平部から下向きに延びた垂直部を備え、前記排水穴には前記フック部材の垂直部に対応して下向きに延びた凸条部が形成され、前記フック部材の水平部と垂直部がそれぞれ前記排水穴の縁部と前記凸条部に密着された状態で前記垂直部の下端が前記凸条部の下端の内側に折り曲げられることにより前記フック部材が前記排水穴に取り付けられる。
【００３４】
また、前記脱水槽の胴体部には縦方向に２列をなして配された複数のスロットが形成されており、前記上昇水流ガイドは前面部と、該前面部から後方に一定長さ延長形成された両側面部よりなり、前記両側面部の端部には前記複数のスロットに対応するよう縦方向に一定間隔離隔配置された複数の結合突起が後方に向けて延長形成され、前記複数の結合突起が前記各スロットに挿入された状態で前記脱水槽の外壁面に密着されるよう折り曲げられることにより前記上昇水流ガイドが前記脱水槽の胴体部に取り付けられるようにする。
【００３５】
前記洗濯水供給穴と排水穴の後方には前記洗濯水供給穴を介して流入された洗濯水を前記排水穴に案内するカバーが設けられている。
【００３６】
前記カバーの下端には係止爪が形成され、前記カバーの上端にはネジ穴が形成され、前記係止爪が前記洗濯水供給穴に係止され密着した状態で前記ネジ穴に前記底板を貫通するネジが入り込まれることにより前記カバーは前記底板に取り付けられる。
【００３７】
【発明の実施の形態】
以下、添付した図面に基づき本発明に係る望ましい実施形態について詳述する。ここで、図１に示された従来の技術による垂直軸洗濯機と同様な構成要素については同一な符号を付して説明する。
【００３８】
図４は本発明に係る脱水槽の構造を示した縦断面図である。同図によれば、本発明に係る脱水槽３０はパルセータ４を正逆回転させるための洗濯軸６ｂを貫通させる一方、脱水槽３０を回転させるための脱水軸６ａを設置するために設けられた底板４０と、該底板４０の外周縁から上向きに延長形成された胴体部５０と、を備えて略上部が開放された円筒状に形成される。
【００３９】
底板４０と胴体部５０は互いに接触する接触部３１、すなわち底板４０の外周縁と胴体部５０の下面がシーミング(seaming)方式により互いに折曲結合されることにより長期間の使用により緩む恐れのある従来のネジ締結構造に比べて堅固な取付状態を維持することができる。
【００４０】
胴体部５０には脱水行程時洗濯物から抜き取られる水を脱水槽３０から放出するよう多数の脱水穴５１が形成されており、その内側には上昇水流ガイド８０と布収集袋１１が設けられ、パルセータ４の正逆回転により発生する水流を脱水槽３０の上部に誘導して洗濯水から毛羽のような異物を濾す一方、脱水槽３０の上部からその下部に向けて洗濯水を落下させることにより洗濯水に含まれている洗剤の溶解を促し、洗濯物に衝撃を加えて洗濯力を増大させうるようにする。
【００４１】
前記上昇水流ガイド８０は胴体部５０の下部から上部にかけて縦方向に配され、パルセータ４により発生する洗濯水流を胴体部５０の上部に誘導し、布収集袋１１は上昇水流ガイド８０の上面に付着され洗濯水から毛羽などを濾し出す。
【００４２】
ここで、前記布収集袋の代りに脱水槽の内壁にもう一つの上昇水流ガイドを設け、該上昇水流ガイドの開放された前面部に金属網を備えたフィルターを取り付けて異物を濾し出すことも可能である。
【００４３】
また、図４では脱水槽に一つの上昇水流ガイドが設けられていることを示したが、必要に応じて複数個の上昇水流ガイドを脱水槽の内壁面に一定間隔に配置して構成することもできる。
【００４４】
図５は本発明に係る脱水槽の底板の構造を示した脱水槽の平面図であり、図６は図５に示した脱水槽の底板に脱水軸支持台が取り付けられる構造を示した脱水槽の下部の縦断面図である。
【００４５】
同図に示した通り、本発明に係る脱水槽３０の底板４０は、その中央に脱水軸６ａを支えるための脱水軸支持台６０を固定させる取付手段４３が一体に形成された中心部４１と、該中心部４１の外周縁から上向きに突出形成されたショルダ部４２が一体に形成される。
【００４６】
前記取付手段４３の外側には脱水行程時洗濯水を水槽２(図１参照)に流出させるための複数の排水穴４４が形成されており、排水穴４４の外側には底板４０の強度を増大させるために多数の凹凸部４５が円周方向に沿って形成されている。前記凹凸部４５により底板４０はパルセータ４と脱水槽３０の回転により発生する洗濯水と洗濯物の動荷重に十分耐えられるようになる。
【００４７】
また、脱水槽３０の底板４０にはパルセータ４により形成される洗濯水流を脱水槽３０の上向きに誘導する上昇水流ガイド８０に洗濯水を案内するための洗濯水供給穴４６と排水穴４７が設けられている。洗濯水供給穴４６は中心部４１の外周縁とショルダ部４２の下部との間にかけて形成され、排水穴４７はショルダ部４２の上部に形成されている。
【００４８】
本発明の脱水軸支持台６０は底板４０の中心部４１に一体に形成された取付手段４３に取り付けられるが、前記脱水軸支持台６０と該脱水軸支持台６０を固定させる取付手段４３の構造については図６を参照して説明する。
【００４９】
図６に示した通り、本発明に係る脱水軸支持台６０は、略中空の円筒状よりなりその内部に脱水軸６ａが挿入される挿入穴６１が形成され、その下端には取付手段４３が取り付けられるため前記挿入穴６１のサイズよりやや大きく形成されたフック溝６２が設けられている。前記挿入穴６１は脱水軸６ａが挿入された状態で脱水軸６ａと共に一体に回転できるよう断面が略矩形によりなるが(図５参照)、矩形以外の多角形よりなることもできる。脱水軸支持台６０の外側面は略円形をなして形成される。
【００５０】
前述したように構成された脱水軸支持台６０を固定するために底板４０の中心部４１に一体に形成された取付手段４３は脱水軸支持台６０の外側面を包んで収められるよう底板４０の中心部４１の中央から一定長さ下向きに延びて円環状をなす支持壁４３ａと、前記支持壁４３ａの下端に形成され脱水軸支持台６０の下端に取り付けられるフック部４３ｂと、前記支持壁４３ａの上端の内側から一定長さ水平に延長形成された複数の係止突起４３ｃを備えてなる。
【００５１】
前述したように構成された取付手段４３と脱水軸支持台６０は次のように取り付けられる。まず、中空円筒状の脱水軸支持台６０を取付手段４３のフック部４３ｂが取付手段４３の支持壁４３ａと一直線に形成された状態で取付手段４３の下部から上向きに挟み込めば、脱水軸支持台６０の上端が取付手段４３の係止突起４３ｃに係止され上向きへの移動が抑えられたまま脱水軸支持台６０の外側面が取付手段４３の支持壁４３ａに取り付けられる。
【００５２】
前述したような状態で支持壁４３ａの下端部を脱水軸支持台６０のフック溝６２の内側面に取り付けられるよう折り曲げて成形するならば、図６に示したようなフック部４３ｂが形成され脱水軸支持台６０の下端に取り付けられる。次いで、略矩形によりなる脱水軸支持台６０の挿入穴６１に脱水軸６ａをしっかり取り付けるならば脱水軸６ａの回転により脱水槽３０が共に回転できるよう構成される。
【００５３】
前述したことから分かる通り、本発明に係る脱水軸支持台６０はボルト締結が要らない構造になり、また小サイズによりなるので脱水槽３０の底板４０に形成された取付手段４３に簡便に組み立てられる。
【００５４】
また、小サイズの脱水軸支持台６０を脱水槽３０の底板４０と同一な材質、例えば耐腐食性のステンレススチールで作られ材質の相違による電位差が発生しないようにすることで脱水軸支持台６０の腐食が防止しうる。
【００５５】
上昇水流ガイド８０に洗濯水流を送るために底板４０に穿孔された洗濯水供給穴４６と排水穴４７の後方に形成されている開口部を覆うため、洗濯水供給穴４６と排水穴４７の後方にはカバー７０が設けられているが、該カバー７０の取り付け構造については図８を参照して後述する。
【００５６】
図７は図４に示した本発明に係る脱水槽の部分斜視図であって、図７ａは上昇水流ガイドが脱水槽から分離された状態を示し、図７ｂは上昇水流ガイドが脱水槽に組み立てられた状態を示した図である。
【００５７】
図７ａに示した通り、本発明に係る上昇水流ガイド８０は、前面部８１と、該前面部８１から後方に一定長さ延長形成された両側面部８２よりなって後方と上下方が開放された形状よりなる。
【００５８】
前面部８１の下端には脱水槽３０の底板４０に形成された排水穴４７に取り付けられるためのフック部材８３が設けられており、両側面部８２の後端には縦方向に一定間隔離隔配置された複数の結合突起８４が設けられている。
【００５９】
上昇水流ガイド８０が設けられる脱水槽３０の胴体部５０には前記結合突起８４を貫通できるよう上昇水流ガイド８０の両側面部８２の幅に対応して２列をなして上下方向に形成された複数個のスロット５２が設けられている。
【００６０】
図７ｂに示した通り、前述したように構成された上昇水流ガイド８０は、結合突起８４が脱水槽３０の胴体部５０に形成されたそれぞれ対応するスロット５２に挿入された後、結合突起８４の後部を胴体部５０の外壁面に折曲固定させることにより上昇水流ガイド８０の両側面部８２が脱水槽３０の胴体部５０に密着設置される。
【００６１】
また、上昇水流ガイド８０の下端がフック部材８３により排水穴４７の周りで脱水槽３０の底板４０に密着結合されることにより、上昇水流ガイド８０と脱水槽３０の底板４０は従来の洗濯機で開示された凸条部２３(図３ｂ参照)が形成されず滑らかな構造を有する。ここで、フック部材８３の結合構造については図８に基づき後述する。
【００６２】
前記のように上昇水流ガイド８０は隙間ができず脱水槽３０に密着される構造により上昇水流ガイド８０に流入された洗濯水は外部に漏れ出ず上昇水流ガイド８０の上部まで案内されうる。
【００６３】
図８は本発明に係る脱水槽の底板に上昇水流ガイドとカバーが取り付けられる構造を示した脱水槽の部分縦断面図である。
【００６４】
図８に示した通り、上昇水流ガイド８０のフック部材８３は上昇水流ガイド８０の下端から内側に水平に延びた水平部８３ａと、該水平部８３ａの端部から下向きに延びた垂直部８３ｂとからなる。排水穴４７の内側の縁部には前記フック部材８３の垂直部８３ｂに対応して下向きに延びた凸条部４７ａが形成されている。
【００６５】
従って、フック部材８３の水平部８３ａと垂直部８３ｂがそれぞれ排水穴４７の縁部と前記凸条部４７ａに密着した状態で前記垂直部８３ｂの下端が凸条部４７ａの下端の内側方向に折り曲げられることにより、フック部材８３は底板４０の排水穴４７の周りに取り付けられる。
【００６６】
前述した通り、本発明に係る上昇水流ガイド８０は両側面部８２が脱水槽３０の胴体部５０に密着される一方、その下部が底板４０の排水穴４７に密着される構造よりなって上昇水流ガイド８０と脱水槽３０との間には隙間ができなくなるため、上昇水流ガイド８０に流入された洗濯水流は外部に漏れ出ず上昇水流ガイド８０の上部に流動し、洗濯物や異物が詰まらなくなる。
【００６７】
また、脱水槽３０と上昇水流ガイド８０は同一な材質、例えばステンレススチールで作って、高温の洗濯水を使用しても同一な熱膨張係数を有するので全く隙間ができなくなる。
【００６８】
洗濯水供給穴４６と排水穴４７の後方には曲面をなして形成されるカバー７０が設けられ、前記洗濯水供給穴４６を通して流入された洗濯水が排水穴４７を介して上昇水流ガイド８０に流入されるよう案内する。
【００６９】
カバー７０の下方には洗濯水供給穴４６の先端に係止させる係止爪７１が形成されており、その上部にはネジ７３を収めるための複数のネジ穴７２が形成されている。従って、カバー７０は係止爪７１が洗濯水供給穴４６の先端に係止され密着状態で前記ネジ穴７２に底板４０の上端部を貫通するネジ７３が入り込むことにより洗濯水供給穴４６を介して流入した洗濯水を排水穴４７に案内する。
【００７０】
以下、前述したように構成された本発明に係る脱水槽３０と上昇水流ガイド８０が設けられた垂直軸洗濯機の動作について説明する。
【００７１】
まず、脱水槽３０に洗濯物を投入した後洗濯機を作動させれば、水槽２に水が供給されてから駆動モータ５と動力伝達装置６によりパルセータ４が正逆回転するようになり、これにより洗濯物が洗濯水流に沿って流動しつつ脱水槽３０の内壁と洗濯水と摩擦されることにより洗濯がなされる。
【００７２】
この際、パルセータ４により発生した洗濯水流の一部は底板４０に形成された洗濯水供給穴４６に流入され排水穴４７を通過し、引き続き脱水槽３０に密着結合された上昇水流ガイド８０に沿って上昇する。このように上昇された洗濯水は上昇水流ガイド８０の上部に設けられた布収集袋１１を経て脱水槽３０の底部に落下して毛羽のような異物は濾され、落下した洗濯水が洗濯物を叩いて洗濯する。
【００７３】
このような洗濯行程において本発明に係る脱水槽３０と上昇水流ガイド８０は隙間ができないよう互いに密着結合されることにより上昇水流ガイド８０に流入された洗濯水は全て上向きに案内され、上昇水流ガイド８０と脱水槽３０との隙間に異物や洗濯物が詰まらなくなる。
【００７４】
一定時間経過して洗い行程が完了されれば、排水ホース８を介して洗濯水を排水させてから洗濯物から洗剤液を抜き取る濯ぎ行程が行われ、次いで脱水軸６ａの回転により脱水槽３０が高速で回転し洗濯物を脱水することにより洗濯が完了する。
【００７５】
【発明の効果】
以上述べた通り、本発明に係る洗濯機は脱水軸支持台が小サイズで構成され脱水槽の底板にボルト締結せず簡単に取り付けられることにより製造コストが節減され組立時間が短縮される効果がある。
【００７６】
また、本発明の洗濯機は長期間使用しても脱水軸支持台が脱水軸の底板に堅固に固定されうる構造を有するので、製品の寿命が延びる効果がある。
【００７７】
そして、本発明の洗濯機は小サイズの脱水軸支持台を脱水槽と同様な材質で構成して相異なる材質による電位差により発生する脱水軸支持台の腐食を防止することにより洗濯物の汚染を防ぐことができる。
【００７８】
また、本発明に係る洗濯機は脱水槽の底板に多数の凹凸部を形成させ十分な強度を維持させることにより脱水槽の耐久性を向上させる効果がある。
【００７９】
そして、本発明の洗濯機は上昇水流ガイドが脱水槽に隙間ができないよう密着結合されることにより上昇水流ガイドを介して十分な量の洗濯水が排水され異物の収集が円滑になされるのみならず、洗濯力がアップされる。
【００８０】
また、本発明に係る洗濯機は上昇水流ガイドが脱水槽との間に隙間ができずに結合され洗濯物や異物の詰まりが発生しないため、洗濯物の損傷と汚染を防止することができる。
【００８１】
そして、本発明に係る洗濯機は脱水槽と上昇水流ガイドが同一な材質で作られ高温の洗濯水を使用しても上昇水流ガイドの変形を招かないことから洗濯物の損傷と汚染を防止できるのみならず、部品の寿命を延せる。
【図面の簡単な説明】
【図１】  従来の技術による脱水槽を備えた垂直軸洗濯機の内部構造を示した縦断面図である。
【図２】  図１に示した従来の技術による脱水槽の底板と脱水軸支持台の取付構造を示した斜視図である。
【図３ａ】  図１に示した従来の技術による脱水槽と上昇水流ガイドの取付構造を示した脱水槽の部分斜視図であって、上昇水流ガイドが脱水槽から分離された状態を示した図である。
【図３ｂ】  図１に示した従来の技術による脱水槽と上昇水流ガイドの取付構造を示した脱水槽の部分斜視図であって、上昇水流ガイドが脱水槽に組み立てられた状態を示した図である。
【図４】  本発明に係る脱水槽の構造を示した縦断面図である。
【図５】  図４に示した脱水槽の底板の構造を示した脱水槽の平面図である。
【図６】  図５の線ＶＩ-ＶＩに沿って切り取ったもので、脱水槽の底板に脱水軸支持台が取り付けられた状態を示した脱水槽下部の縦断面図である。
【図７ａ】  図４に示した本発明に係る脱水槽の部分斜視図であって、上昇水流ガイドが脱水槽から分離された状態を示した図である。
【図７ｂ】  図４に示した本発明に係る脱水槽の部分斜視図であって、上昇水流ガイドが脱水槽に組み立てられた状態を示した図である。
【図８】  本発明に係る脱水槽の底板に上昇水流ガイドとカバーが取り付けられる構造を示した脱水槽の部分縦断面図である。
【符号の説明】
３０  脱水槽
４０  底板
４３  取付手段
４５  凹凸部
４６  洗濯水供給穴
４７  排水穴
５０  胴体部
５２  スロット
６０  脱水軸支持台
７０  カバー
８０  上昇水流ガイド
８３  フック部材
８４  結合突起
【図１】
0003964720.tif 000002
【図２】
0003964720.tif 000003
【図３ａ】
0003964720.tif 000004
【図３ｂ】
0003964720.tif 000005
【図４】
0003964720.tif 000006
【図５】
0003964720.tif 000007
【図６】
0003964720.tif 000008
【図７ａ】
0003964720.tif 000009
【図７ｂ】
0003964720.tif 000010
【図８】
0003964720.tif 000011